(57)【要約】【課題】    従来の挟み具では、テコの原理を利用して握力よりも強い力を挟み部に発生させようとする際、一対のアーム体の回転中心を構成する軸ピンと、軸ピンが嵌合される穴形状が邪魔をして、中心軸線の間際まで挟み部を設けることが困難である。よって、挟み部に強い力を発生させるには指掛部をとても長くするか、リンク機構による倍力機構を用いなければならず、挟み具が大げさになってしまう。【解決手段】  円盤状部の外周付近に嵌合形状を設ける。【選択図】          図５
2008043480.tif 000002
【特許請求の範囲】
【請求項１】
外周付近に第１嵌合形状を有する第１円盤状部と、
前記第１円盤状部に垂直で、前記第１円盤状部の中心点を通る中心軸線と、
前記中心軸線に略平行な方向に、前記第１円盤状部に設けられる第１貫通穴と、
前記第１貫通穴の内壁に設けられる第１挟み部と、
前記第１円盤状部から外側に向かって、前記中心軸線に略垂直な方向に設けられる第１指掛部と、
を備える第１アーム体と、
前記中心軸線を中心に回転可能に、前記第１円盤状部に接するように前記第１嵌合形状に隙間嵌合される第２嵌合形状を有する第２円盤状部と、
前記中心軸線に略平行な方向に、前記第２円盤状部に設けられる第２貫通穴と、
前記第２貫通穴の内壁に設けられる第２挟み部と、
前記第２円盤状部から外側に向かって、前記中心軸線に略垂直な方向に設けられる第２指掛部と、
を備える第２アーム体と
を備え、
前記第１指掛部が前記第２指掛部に近づく方向に前記第１指掛部及び前記第２指掛部を握ることで、前記第１挟み部及び前記第２挟み部が閉じる方向に移動する、
挟み具。
【請求項２】
前記第１円盤状部は、前記中心軸線に略平行な方向に設けられ前記第２貫通穴に挿入される、第１略扇形断面形状を有し、
前記第１略扇形断面形状の第１円周部が摺動可能な第２摺動部を前記第２貫通穴の内壁に有し、
前記第２円盤状部は、前記中心軸線に略平行な方向に設けられ前記第１貫通穴に挿入される、第２略扇形断面形状を有し、
前記第２略扇形断面形状の第２円周部が摺動可能な第１摺動部を前記第１貫通穴の内壁に有することで、
前記隙間嵌合は構成される、
請求項１に記載の挟み具。
【請求項３】
前記第１円周部以外の前記第１略扇形断面形状に前記第１挟み部を有し、
前記第２円周部以外の前記第２略扇形断面形状に前記第２挟み部を有する、
請求項２に記載の挟み具。
【請求項４】
前記中心軸線に略平行な方向に、前記第１円盤状部及び前記第２円盤状部はそれぞれ、第３貫通穴及び第４貫通穴を有し、
前記第１円盤状部は、前記中心軸線に略平行な方向に設けられ前記第４貫通穴に挿入される、第１略扇形断面形状を有し、
前記第１略扇形断面形状の第１円周部が摺動可能な第４摺動部を前記第４貫通穴の内壁に有し、
前記第２円盤状部は、前記中心軸線に略平行な方向に設けられ前記第３貫通穴に挿入される、第２略扇形断面形状を有し、
前記第２略扇形断面形状の第２円周部が摺動可能な第３摺動部を前記第３貫通穴の内壁に有することで、
前記隙間嵌合は構成される、
請求項１に記載の挟み具。
【請求項５】
前記第１挟み部及び前記第２挟み部には、一対の刃形状が設けられる、
請求項１から請求項４のいずれかに記載の挟み具。
【発明の詳細な説明】
【技術分野】
【０００１】
本発明は、ハサミ、ニッパー、ペンチ等の、挟み具に関する。
【背景技術】
【０００２】
挟み具の中でもペンチやニッパーにおいては、特許文献１のように一対のアーム体の一端に設けられた指掛部を握ることで、一対のアーム体の他端に設けられた挟み部が閉じられるように、一対のアーム体の略中央部に回転中心軸ピンが設けられ、テコの原理を利用して握力よりも強い力を挟み部に発生させるような構造のものが多い。
【０００３】
【特許文献１】特開２００２−３０７３１７号公報
【発明の開示】
【発明が解決しようとする課題】
【０００４】
従来の挟み具では、テコの原理を利用して握力よりも強い力を挟み部に発生させようとする際、一対のアーム体の回転中心を構成する軸ピンと、軸ピンが嵌合される穴形状が邪魔をして、中心軸線の間際まで挟み部を設けることが困難である。
よって、挟み部に強い力を発生させるには指掛部をとても長くするか、リンク機構による倍力機構を用いなければならず、挟み具が大げさになってしまう。
【課題を解決するための手段】
【０００５】
本発明の実施形態図等を用いて以下に説明するが、これは本発明の内容をより把握しやすいようにする為で、添付の特許請求の範囲を縮小するものではない。
また、各図に記載の符号は数字のみ、あるいは数字とアルファベットの小文字で構成されているが、数字が同一であるということは、互いに対応している部分であることを表す。よって、数字のみの符号は、数字が同一であり数字とアルファベットの小文字で構成される符号を含む。
【０００６】
発明１に係る挟み具は、例えば図１から図６のように、
外周付近に第１嵌合形状を有する円盤状部３と、
円盤状部３に垂直で、円盤状部３の中心点を通る中心軸線５０と、
中心軸線５０に略平行な方向に、円盤状部３に設けられる貫通穴５と、
貫通穴５の内壁に設けられる挟み部７と、
円盤状部３から外側に向かって、中心軸線５０に略垂直な方向に設けられる指掛部９と、
を備える第１アーム体と、
中心軸線５０を中心に回転可能に、円盤状部３に接するように前記第１嵌合形状に隙間嵌合される第２嵌合形状を有する円盤状部４と、
中心軸線５０に略平行な方向に、円盤状部４に設けられる貫通穴６と、
貫通穴６の内壁に設けられる挟み部８と、
円盤状部４から外側に向かって、中心軸線５０に略垂直な方向に設けられる指掛部１０と、
を備える第２アーム体と
を備え、
指掛部９が指掛部１０に近づく方向に指掛部９及び指掛部１０を握ることで、挟み部７及び挟み部８が閉じる方向に移動する、
挟み具である。
【０００７】
発明２に係る挟み具は、発明１の挟み具において、例えば図１から図４のように、
円盤状部３は、中心軸線５０に略平行な方向に設けられ貫通穴６に挿入される、略扇形断面形状１１を有し、
略扇形断面形状１１の円周部１が摺動可能な摺動部２０を貫通穴６の内壁に有し、
円盤状部４は、中心軸線５０に略平行な方向に設けられ貫通穴５に挿入される、略扇形断面形状１２を有し、
略扇形断面形状１２の円周部２が摺動可能な摺動部１９を貫通穴５の内壁に有することで、
前記隙間嵌合は構成される、
挟み具である。
【０００８】
発明３に係る挟み具は、発明２の挟み具において、例えば図１から図４のように、
円周部１以外の略扇形断面形状１１に挟み部７を有し、
円周部２以外の略扇形断面形状１２に挟み部８を有する、
挟み具である。
【０００９】
発明４に係る挟み具は、発明１の挟み具において、例えば図５及び図６のように、
中心軸線５０に略平行な方向に、円盤状部３及び円盤状部４はそれぞれ、貫通穴２７及び貫通穴２８を有し、
円盤状部３は、中心軸線５０に略平行な方向に設けられ貫通穴２８に挿入される、略扇形断面形状１１を有し、
略扇形断面形状１１の円周部１が摺動可能な摺動部２６を貫通穴２８の内壁に有し、
円盤状部４は、中心軸線５０に略平行な方向に設けられ貫通穴２７に挿入される、略扇形断面形状１２を有し、
略扇形断面形状１２の円周部２が摺動可能な摺動部２５を貫通穴２７の内壁に有することで、
前記隙間嵌合は構成される、
挟み具である。
【００１０】
発明５に係る挟み具は、発明１から発明４のいずれかの挟み具において、例えば図５及び図６のように、
挟み部７及び挟み部８には、一対の刃形状が設けられる、
挟み具である。
【発明の効果】
【００１１】
以上のように本発明では、シンプルで丈夫な構造を維持しながら、挟み部７及び挟み部８を中心軸線５０の間際まで設けることが可能となる。
【００１２】
さらに発明２によると、第１アーム体及び第２アーム体を共通部品とすることが容易になる。
【００１３】
さらに発明３によると、円盤状部３及び円盤状部４の形状が最大限にシンプルになる。
【００１４】
さらに発明４によると、挟み部７及び挟み部８の個数や形状の自由度が増す。
【００１５】
さらに発明５によると、切断能力の非常に高い挟み具となる。
【発明を実施するための最良の形態】
【００１６】
〔第１実施形態〕
図１及び図２において、図２は共通形状である第１アーム体及び第２アーム体の一方を第三角法によって表した図であり、図１は両方を組み合わせた動作図である。
【００１７】
図２において、第１（第２）アーム体は、鉄製の円盤状部３a（４a）と指掛部９a（１０a）を一体に鍛造成型したものである。ここで、一体成型でなくても別に成型後、溶接や嵌合等によって接合されても良い。
また、円盤状部３a（４a）には１９５度開いた扇形の貫通穴５a（６a）が設けられており、貫通穴５a（６a）以外の円盤状部３a（４a）には１６５度開いた略扇形断面形状１１a（１２a）が隆起するように一体に設けられている。ここで、一体成型でなくても別に成型後、溶接や嵌合等によって接合されても良い。
また、貫通穴５a（６a）及び略扇形断面形状１１a（１２a）の境界部分には挟み部７a（８a）が一体に設けられている。ここには、ローレットや凹形状等、被挟持物を確実に挟持する為の形状が設けられる、あるいはニッパーのように刃が設けられても良い。
また、円盤状部３a（４a）の中心軸線５０aに平行な方向に、略扇形断面形状１１a（１２a）の円周部１a（２a）付近に、ネジ穴２１a（２２a）が３個設けられている。
また、円盤状部３a（４a）から伸びる棒状の指掛部９a（１０a）の根元付近には、中心軸線５０aに平行な方向に穴２３a（２４a）が設けられている。
【００１８】
図１において、組み合わされた第１アーム体及び第２アーム体には、中心軸線５０aに沿う方向に互いが外れないように係止片１５aが略扇形断面形状１１aのネジ穴２１aに螺合するネジ１３aによって固定されている。ここで、略扇形断面形状１２aのネジ穴２２aにも同様に係止板が固定されても良い。
また、略扇形断面形状１１a（１２a）が円盤状部３a（４a）に別体に成型された後に接合される場合は、略扇形断面形状１１a（１２a）に係止片１５a等が一体に成型されても良い。
【００１９】
また、挟み部７a及び挟み部８aが開く方向に付勢する付勢部材５１aであるネジリコイルバネの両端には輪状部が設けられており、それぞれ穴２３a及び穴２４aに圧入嵌合される軸ピン１７a及び軸ピン１８aに回転可能に係止される。
【００２０】
〔第２実施形態〕
図３及び図４において、図４は共通形状である第１アーム体及び第２アーム体の一方を第三角法によって表した図であり、図３は両方を組み合わせた動作図である。
【００２１】
第２実施形態の挟み具は、第１実施形態の挟み具において、図３及び図４のように略扇形断面形状１１b（１２b）及び扇形の貫通穴５b（６b）からなる挟み部７b（８b）がもう一組同様に設けられたものであり、貫通穴５b（６b）の扇形の開き角度は１０５度、略扇形断面形状１１b（１２b）の開き角度は７５度である。
【００２２】
〔第３実施形態〕
図５及び図６において、図６は共通形状である第１アーム体及び第２アーム体の一方を第三角法によって表した図であり、図５は両方を組み合わせた動作図である。
【００２３】
図６において、第１（第２）アーム体は、鉄製の円盤状部３c（４c）と指掛部９c（１０c）を一体に鍛造成型したものである。ここで、一体成型でなくても別に成型後、溶接や嵌合等によって接合されても良い。
また、円盤状部３c（４c）には１５９度開いた略扇形の貫通穴２７c（２８c）が設けられており、貫通穴２７c（２８c）以外の円盤状部３c（４c）には１２９度開いた略扇形断面形状１１c（１２c）が隆起するように一体に設けられている。ここで、一体成型でなくても別に成型後、溶接や嵌合等によって接合されても良い。
また、貫通穴２７c（２８c）及び略扇形断面形状１１c（１２c）以外の円盤状部３c（４c）には、挟み部７c（８c）が内壁に一体に設けられている貫通穴５c（６c）が設けられている。この挟み部７c（８c）には刃が設けられている。
また、円盤状部３c（４c）の中心軸線５０cに平行な方向に、略扇形断面形状１１c（１２c）の円周部１c（２c）付近に、ネジ穴２１c（２２c）が３個設けられている。また、円盤状部３c（４c）から伸びる棒状の指掛部９c（１０c）の根元付近には、中心軸線５０cに平行な方向に穴２３c（２４c）が設けられている。
【００２４】
図５において、組み合わされた第１アーム体及び第２アーム体には、中心軸線５０cに沿う方向に互いが外れないように係止片１５cが略扇形断面形状１１cのネジ穴２１cに螺合するネジ１３cによって固定されている。ここで、略扇形断面形状１２cのネジ穴２２cにも同様に係止板が固定されても良い。
また、略扇形断面形状１１c（１２c）が円盤状部３c（４c）に別体に成型された後に接合される場合は、略扇形断面形状１１c（１２c）に係止片１５c等が一体に成型されても良い。
【００２５】
また、挟み部７c及び挟み部８cが開く方向に付勢する付勢部材５１cであるネジリコイルバネの両端には輪状部が設けられており、それぞれ穴２３c及び穴２４cに圧入嵌合される軸ピン１７c及び軸ピン１８cに回転可能に係止される。
【００２６】
また、挟み部７c及び挟み部８cに設けられた一対の刃は、挟み部７c及び挟み部８cが閉じられる際に鋏のように交差するので、被切断物の切断面がきれいに仕上がる。
【図面の簡単な説明】
【００２７】
【図１】第１実施形態の挟み具の動作を２段階で表す図
【図２】第１実施形態の挟み具の第１アーム体及び第２アーム体の一方を第三角法によって表した図
【図３】第２実施形態の挟み具の動作を２段階で表す図
【図４】第２実施形態の挟み具の第１アーム体及び第２アーム体の一方を第三角法によって表した図
【図５】第３実施形態の挟み具の動作を２段階で表す図
【図６】第３実施形態の挟み具の第１アーム体及び第２アーム体の一方を第三角法によって表した図
【符号の説明】
【００２８】
１,２                                                円周部
３,４                                                円盤状部
５,６,２７,２８                                   貫通穴
７,８                                                挟み部
９,１０                                            指掛部
１１,１２                                          略扇形断面形状
１３                                                 ネジ
１５                                                 係止片
１７,１８                                          軸ピン
１９,２０,２５,２６                            摺動部
２１,２２                                          ネジ穴
２３,２４                                          穴
５０                                                 中心軸線
５１                                                 付勢部材
【図１】
2008043480.tif 000003
【図２】
2008043480.tif 000004
【図３】
2008043480.tif 000005
【図４】
2008043480.tif 000006
【図５】
2008043480.tif 000007
【図６】
2008043480.tif 000008